(57)【要約】【課題】製品の歩留まりを向上させることができるバックライトアセンブリ及び表示装置を開示する。【解決手段】バックライトアセンブリは、収納容器の側壁と向かい合う側部に突起が形成された導光板を具備する。導光板は、収納容器の内部で流動されると、収納容器の側壁と突起のみが接触されるので、収納容器との摩擦面積を最小化することができる。これによって、バックライトアセンブリは、導光板と収納容器との間に摩擦のために発生する騒音を防止することができるので、製品の歩留まりを向上させることができる。【選択図】図１
2006323382.tif 000002
【特許請求の範囲】
【請求項１】
収納容器と、
基板及び前記基板の一面に形成され前記収納容器と点接触する突起を有する導光板と、を含むことを特徴とするバックライトアセンブリ。
【請求項２】
前記突起は、前記基板の側面に具備されることを特徴とする請求項１記載のバックライトアセンブリ。
【請求項３】
前記突起は、ピラミッド状を有することを特徴とする請求項１記載のバックライトアセンブリ。
【請求項４】
前記導光板は、前記突起の少なくとも３個の面が接する頂点と前記収納容器の側壁が互いに接触されることを特徴とする請求項３記載のバックライトアセンブリ。
【請求項５】
前記突起は、前記基板と一体に形成されることを特徴とする請求項１記載のバックライトアセンブリ。
【請求項６】
前記突起は、弾性を有する材質からなることを特徴とする請求項１記載のバックライトアセンブリ。
【請求項７】
前記突起は、前記基板より摩擦係数が低いことを特徴とする請求項１記載のバックライトアセンブリ。
【請求項８】
前記導光板は前記突起の外面をカバーし、前記収納容器及び前記突起より摩擦係数が低い材質からなる騒音防止部材を更に含むことを特徴とする請求項１記載のバックライトアセンブリ。
【請求項９】
収納容器と、
基板及び前記基板の一面に形成され前記収納容器と線接触する突起を有する導光板と、を含むことを特徴とするバックライトアセンブリ。
【請求項１０】
前記突起は、前記基板の側面に具備されることを特徴とする請求項９記載のバックライトアセンブリ。
【請求項１１】
前記突起は、プリズム形状を有することを特徴とする請求項９記載のバックライトアセンブリ。
【請求項１２】
前記突起は曲面で構成されることを特徴とする請求項９記載のバックライトアセンブリ。
【請求項１３】
前記突起は、前記基板と一体に形成されることを特徴とする請求項９記載のバックライトアセンブリ。
【請求項１４】
前記突起は、弾性を有する材質からなることを特徴とする請求項９記載のバックライトアセンブリ。
【請求項１５】
前記突起は、前記基板より摩擦係数が低いことを特徴とする請求項９記載のバックライトアセンブリ。
【請求項１６】
前記導光板は前記突起の外面をカバーし、前記収納容器及び前記導光板より摩擦係数が低い材質からなる騒音防止部材を更に含むことを特徴とする請求項９記載のバックライトアセンブリ。
【請求項１７】
光の経路を変更し出射する導光板と、
前記導光板の一側に具備され前記光を発生する光源と、
前記導光板及び前記光源が装着される底面、前記底面から前記導光板の側部と向かい合うように延長された側壁、前記側壁と前記導光板の側部との間の間隔を維持するように前記側壁から突出され形成された突起を具備する収納容器と、を含むことを特徴とするバックライトアセンブリ。
【請求項１８】
前記突起は、前記導光板の側部と点接触されることを特徴とする請求項１７記載のバックライトアセンブリ。
【請求項１９】
前記突起は、前記導光板の側部と線接触されることを特徴とする請求項１７記載のバックライトアセンブリ。
【請求項２０】
収納容器と、
前記収納容器に収納され光の経路を変更する基板、及び前記基板の一面に具備され前記収納容器と点接触する突起を具備する導光板と、
前記導光板の一側に具備され前記導光板に光を提供する光源と、
前記導光板の上部に具備され、前記導光板から前記光の提供を受けて画像を表示する表示パネルと、を含むことを特徴とする表示装置。
【請求項２１】
収納容器と、
前記収納容器に収納され光の経路を変更する基板、及び前記基板の一面に具備され前記収納容器と線接触する突起を具備する導光板と、
前記導光板の一側に具備され前記導光板に光を提供する光源と、
前記導光板の上部に具備され、前記導光板から前記光の提供を受けて画像を表示する表示パネルと、を含むことを特徴とする表示装置。
【請求項２２】
光の提供を受けて画像を表示する表示パネルと、
光の経路を変更して前記表示パネルに提供する導光板と、
前記導光板の一側に具備され光を発生する光源と、
前記導光板及び前記光源が装着される底面、前記底面から前記導光板の側部と向かい合うように延長された側壁、前記側壁と前記導光板の側部との間の間隔を維持するように前記側壁から突出され形成された突起を具備する収納容器と、を含むことを特徴とする表示装置。
【発明の詳細な説明】
【技術分野】
【０００１】
本発明は、バックライトアセンブリ及びこれを有する表示装置に係り、より詳細には、製品の歩留まりを向上させることができるバックライトアセンブリ及びこれを有する表示装置に関する。
【背景技術】
【０００２】
一般に、液晶表示装置は、光を利用して画像を表示する液晶表示パネル及び液晶表示パネルに光を提供するバックライトアセンブリを含む。
バックライトアセンブリは、光を発生するランプユニット、光をディスプレイユニットにガイドする導光板、及びランプユニット及び導光板を収納するモールドフレームを具備する。
【０００３】
大部分の液晶表示装置は、ユーザの目の高さを考慮して、地面に対して立てて使用する。ノートパソコン、携帯電話等のような携帯用製品、ラップトップコンピュータ等に適用される液晶表示装置は、視野角を確保するために地面に対する傾きを調節できる。
このように、傾きを調節するために、外部の力が液晶表示装置に加わると、外部の力が作用する間、バックライトアセンブリが瞬間的に捩じれ、これによって導光板が流動する。特に、折り畳み式製品は、本体と液晶表示装置がヒンジ結合されるので、ユーザが折り畳み式製品を折りたたむか、開く度に導光板が流動する。
【０００４】
このように、導光板が収納容器の内部で流動すると、導光板と収納容器との間に摩擦が発生し、これによってノイズ（騒音）が発生してしまう。導光板と収納容器との接触面積を決定する側壁の大きさは、収納容器に対する導光板の移動を最小限にするために、工程のあいだ綿密に適合される。しかし、大きな接触面積の場合に正確にフィットさせるように、導光板及び収納容器の側壁の大きさに対応した正確なサイズにするのは難しい。その結果、バックライトアセンブリの歩留まりが低下する。
【発明の開示】
【発明が解決しようとする課題】
【０００５】
本発明の目的は、製品の歩留まりを向上させることができるバックライトアセンブリを提供することにある。
又、本発明の他の目的は、前記したバックライトアセンブリを具備する表示装置を提供することにある。
【課題を解決するための手段】
【０００６】
前記した本願第１発明のバックライトアセンブリは、収納容器及び導光板で構成される。
導光板は、基板及び基板の一面に形成され収納容器と点接触する突起を具備する。
導光板と収納容器との接触面積を完全にフィットさせて導光板が移動しないように製造するのは困難である。しかし、導光板と収納容器とは点接触するため、導光板と収納容器との接触面積を小さくすることができる。よって導光板の移動を阻止しつつ、かつ導光板と収納容器との接触面積を小さくすることができ、これにより導光板が移動することによる騒音を減らすことができる。また、製造工程が容易なため、歩留まりも向上することができる。
【０００７】
本願第２発明は、第１発明において、前記突起は、前記基板の側面に具備されることを特徴とするバックライトアセンブリを提供する。
導光板と収納容器との接触が最も多い基板の側面に突起を設けることで、接触面積を減らすことができ、より騒音を減らすことができる。
本願第３発明は、第１発明において、前記突起は、ピラミッド状を有することを特徴とするバックライトアセンブリを提供する。
【０００８】
本願第４発明は、第３発明において、前記導光板は、前記突起の少なくとも３個の面が接する頂点と前記収納容器の側壁が互いに接触されることを特徴とするバックライトアセンブリを提供する。
本願第５発明は、第１発明において、前記突起は、前記基板と一体に形成されることを特徴とするバックライトアセンブリを提供する。
【０００９】
基板と一体に形成されることで、より製造工程を簡単にすることができる。
本願第６発明は、第１発明において、前記突起は、弾性を有する材質からなることを特徴とするバックライトアセンブリを提供する。
弾性を有する材質で形成することで、導光板への衝撃を和らげ、移動も小さくすることができる。
【００１０】
本願第７発明は、第１発明において、前記突起は、前記基板より摩擦係数が低いことを特徴とするバックライトアセンブリを提供する。
本願第８発明は、第１発明において、前記導光板は前記突起の外面をカバーし、前記収納容器及び前記突起より摩擦係数が低い材質からなる騒音防止部材を更に含むことを特徴とするバックライトアセンブリを提供する。
【００１１】
騒音防止部材を設けることで、さらに騒音を防止することができる。
本願第９発明は、収納容器と、基板及び前記基板の一面に形成され前記収納容器と線接触する突起を有する導光板と、を含むことを特徴とするバックライトアセンブリを提供する。
本願第１０発明は、第９発明において、前記突起は、前記基板の側面に具備されることを特徴とするバックライトアセンブリを提供する。
【００１２】
導光板と収納容器との接触が最も多い基板の側面に突起を設けることで、接触面積を減らすことができ、より騒音を減らすことができる。
本願第１１発明は、第９発明において、前記突起は、プリズム形状を有することを特徴とするバックライトアセンブリを提供する。
本願第１２発明は、第９発明において、前記突起は曲面で構成されることを特徴とするバックライトアセンブリを提供する。
【００１３】
本願第１３発明は、第９発明において、前記突起は、前記基板と一体に形成されることを特徴とするバックライトアセンブリを提供する。
基板と一体に形成されることで、より製造工程を簡単にすることができる。
本願第１４発明は、第９発明において、前記突起は、弾性を有する材質からなることを特徴とするバックライトアセンブリを提供する。
【００１４】
弾性を有する材質で形成することで、導光板への衝撃を和らげ、移動も小さくすることができる
本願第１５発明は、第９発明において、前記突起は、前記基板より摩擦係数が低いことを特徴とするバックライトアセンブリを提供する。
本願第１６発明は、第９発明において、前記導光板は前記突起の外面をカバーし、前記収納容器及び前記導光板より摩擦係数が低い材質からなる騒音防止部材を更に含むことを特徴とするバックライトアセンブリを提供する。
【００１５】
騒音防止部材を設けることで、さらに騒音を防止することができる。
又、前記した本願第１７発明のバックライトアセンブリは、導光板、光源、及び収納容器で構成される。
導光板は、光の経路を変更して出射する。光源は、導光板の一側に具備され光を発生する。収納容器は、導光板及び光源が装着される底面、底面から前記導光板の側部と向かい合うように延長される側壁、側壁と導光板の側部との間の間隔を維持するように側壁から突出され形成された突起を具備する。上記本願第１発明と同様の作用効果を奏する。
【００１６】
本願第１８発明は、第１７発明において、前記突起は、前記導光板の側部と点接触されることを特徴とするバックライトアセンブリを提供する。
本願第１９発明は、第１７発明において、前記突起は、前記導光板の側部と線接触されることを特徴とするバックライトアセンブリを提供する。
又、前記した本願第２０発明の表示装置は、収納容器、導光板、光源、及び表示パネルで構成される。
【００１７】
導光板は収納容器に収納され光の経路を変更する基板、及び基板の一面に具備され収納容器と点接触する突起を具備する。光源は、導光板の一側に具備され導光板に光を提供する。表示パネルは導光板の上部に具備され、導光板から光の提供を受けて画像を表示する。
本願第２１発明において、収納容器と、前記収納容器に収納され光の経路を変更する基板、及び前記基板の一面に具備され前記収納容器と線接触する突起を具備する導光板と、前記導光板の一側に具備され前記導光板に光を提供する光源と、前記導光板の上部に具備され、前記導光板から前記光の提供を受けて画像を表示する表示パネルと、を含むことを特徴とする表示装置を提供する。
【００１８】
本願第２２発明において、光の提供を受けて画像を表示する表示パネルと、光の経路を変更して前記表示パネルに提供する導光板と、前記導光板の一側に具備され光を発生する光源と、前記導光板及び前記光源が装着される底面、前記底面から前記導光板の側部と向かい合うように延長された側壁、前記側壁と前記導光板の側部との間の間隔を維持するように前記側壁から突出され形成された突起を具備する収納容器と、を含むことを特徴とする表示装置を提供する。
【発明の効果】
【００１９】
このようなバックライトアセンブリ及びこれを有する表示装置によると、導光板は収納容器の内部で流動されると、収納容器の側壁と突起のみが接触されるので、収納容器との摩擦面積を最小化することができる。これによって、バックライトアセンブリは、導光板と収納容器との間に、摩擦のために発生する騒音を防止することができるので、製品の歩留まりを向上させることができる。
【発明を実施するための最良の形態】
【００２０】
＜第１実施例＞
以下、添付図面を参照して、本発明をより詳細に説明する。
図１は、本発明の一実施例によるバックライトアセンブリを示す分解斜視図である。
図１を参照すると、バックライトアセンブリ８００は、光を発生するランプユニット１００、ランプユニット１００の一側に位置して光の経路をガイドする導光板２００、導光板２００の上部に具備された光学シート３００、導光板２００の下部に具備された反射シート４００、及び収納容器５００を含む。
【００２１】
ランプユニット１００は、電源の提供を受けて光を発生するランプ１１０、及びランプ１１０を収納してランプ１１０から光を反射するランプカバー１２０を具備する。
ランプカバー１２０は、ランプ１１０と向かい合う面に光を反射する反射部材がコーティングされる。ランプカバー１２０にコーティングされた反射部材は、ランプ１１０からの光を導光板２００側に反射して光の利用効率を向上させる。
【００２２】
導光板２００は、ランプユニット１００から線光源形態に入射された光の経路を変更して面光源形態の光を出射する。この実施例において、導光板２００は、ランプユニット１００側から反対側に行くほど、厚さが漸次薄く形成されるウェッジ形状を有するが、厚さが均一に形成されても良い。導光板２００についての具体的な説明は、後述する図２及び図３で記述する。
【００２３】
導光板２００の上部に具備された光学シート３００は、導光板２００から出射される光の輝度特性、例えば、輝度増加及び輝度均一性を向上させ出射し、光学シート３００としてはプリズムシート及び拡散シート等がある。バックライトアセンブリ８００は、少なくとも１枚以上の光学シートを具備し、要求される輝度特性によって別の拡散シートやプリズムシートを更に追加するか、除去することができる。
【００２４】
光学シート３００は両側部にそれぞれ形成され、収納容器５００と結合する第１及び第２シート固定部３１０、３２０を更に含む。第１及び第２シート固定部３１０、３２０は、光学シート３００の両側部からそれぞれ突出される。第１及び第２シート固定部３１０、３２０には、収納容器５００と結合するためのホール３１１、３２１がそれぞれ形成される。
【００２５】
導光板２００の下に具備された反射シート４００は、導光板２００の下部面に出射される光を反射して光の利用効率を向上させる。
収納容器５００は、ランプユニット１００、導光板２００、光学シート３００、及び反射シート４００を収納する。収納容器５００は、底面５１０、及び収納空間を形成するように底面５１０よりも突出して形成された側壁５２０を含む。
【００２６】
底面５１０は、バックライトアセンブリ８００の重量を最小化するように多数の開口部を有する。底面５１０には、反射シート４００、導光板２００、及び光学シート３００が順次に装着される。ここで、ランプユニット１００は、収納容器５００の背面から収納容器５００の内側に挿入され、導光板２００と収納容器５００の側壁５２０との間に収納される。
【００２７】
収納容器５００は、光学シート３００のホール３１１、３２１と対応して、側壁５２０上に形成された第１及び第２固定突起５３０、５３５を更に含む。第１及び第２固定突起５３０、５３５は、ホール３１１、３２１に挿入され光学シート３００を収納容器５００に固定する。
収納容器５００は、画像を表示する液晶表示パネル（図示せず）をガイドするガイド部５４０、及びランプ１１０に電源を印加するランプワイヤ（図示せず）を固定する固定ホール５５０を更に含む。ガイド部５４０は、側壁５２０の上端部に具備されるとともに、側壁５２０より外側に突出される。固定ホール５５０は側壁５２０に形成され、ランプユニット１００と隣接して位置する。ランプワイヤは、固定ホール５５０に挿入され一端部が外部に引き出され、ランプワイヤの引き出された端部は、電源を提供する電源供給部（図示せず）と連結される。
【００２８】
バックライトアセンブリ８００は、収納容器５００の外側に具備されるバックカバー６００を更に具備することができる。バックカバー６００は、ランプユニット１００が収納される位置に具備され、ランプユニット１００から発生された熱を迅速に放出する。バックカバー６００は、ランプカバー１２０の下部面及び収納容器５００の一側面をカバーする。
【００２９】
この実施例において、バックライトアセンブリ８００は、バックカバー６００をランプカバー１２０と別に具備するが、バックカバー６００の機能を有するランプカバーを具備してバックカバー６００を別に具備しなくても良い。
バックカバー６００は、ランプカバー１２０と接する第１板６１０、及び第１板６１０から延長され収納容器５００の側壁５２０と接する第２板６２０を含む。ランプカバー１２０は、バックカバー６００と結合するための第１結合ホール１２１、１２２を具備し、バックカバー６００の第１板６１０は、第１結合ホール１２１、１２２と対応する第２結合ホール６１１、６１２を具備する。
【００３０】
図示していないが、収納容器５００の背面には、第１及び第２結合ホール１２１、１２２、６１１、６１２に対応する結合溝が具備される。
バックカバー６００は、第１結合ホール１２１、１２２及び第２結合ホール６１１、６１２をそれぞれ貫通して収納容器に締結されるスクリュー７１０、７２０によってランプカバー１２０及び収納容器５００と結合する。
【００３１】
図２は図１に図示された導光板を示す斜視図で、図３は図２に図示された導光板を示す平面図で、図４は図２のＡ部分を拡大して示す拡大斜視図である。
図２及び図３を参照すると、導光板２００は、光の経路を変更するガイド面２１０、ガイド面２１０と対向する出射面２２０、ガイド面２１０及び出射面２２０と隣接した側部、及び側部に形成された多数の突起を含む。
【００３２】
ガイド面２１０は、光の経路を変更して出射面２２０に提供するガイドパターン（図示せず）が具備される。出射面２２０は、ガイド面２１０から入射された光を光学シート３００（図１参照）に提供する。
側部は、光が入射される入射面２３１、及び第１乃至第３側面２３２、２３３、２３４で構成される。入射面２３１はランプ１１０と向かい合い、ランプ１１０からの光が入射される。第１側面２３２は、入射面２３１と隣接して位置する。第２側面２３３は第１側面２３２と隣接し、入射面２３１と対向して位置する。第３側面２３４は、第２側面２３３及び入射面２３１と隣接し、第１側面２３２と対向して位置する。
【００３３】
入射面２３１と第１側面２３２が接する角２３１ａと入射面２３１と第３側面２３４が接する角２３１ｂは、導光板２００がランプユニット１００（図１参照）側に流動されないように面取りされる。
図示していないが、収納容器５００（図１参照）は、面取りされた部分に対応して突出部が形成され、突出部は、導光板２００の面取りされた部分に挿入され導光板２００がランプ１１０側に移動することを防止する。
【００３４】
一方、第１乃至第３側面２３２、２３３、２３４には、多数の突起が具備される。ここで、多数の突起は、導光板２００と収納容器５００の側壁５２０が直接的に接触される部分に形成される。
この実施例において、多数の突起は、第１乃至第９突起２４１、２４２、２４３、２４４、２４５、２４６、２４７、２４８、２４９で構成される。しかし、突起の個数は、導光板２００のサイズによって増加されるか、減少されることができる。
【００３５】
第１乃至第９突起２４１、２４２、２４３、２４４、２４５、２４６、２４７、２４８、２４９は、第１乃至第３側面２３２、２３３、２３４と一体に形成される。このように一体に形成されることで、より製造工程を簡単にすることができる。しかし、第１乃至第９突起２４１、２４２、２４３、２４４、２４５、２４６、２４７、２４８、２４９は、第１乃至第３側面２３２、２３３、２３４と一体に形成されなくても良く、ゴムのように弾性を有する材質で形成されることができる。弾性を有する材質で形成することで、導光板への衝撃を和らげ、移動も小さくすることができる。
【００３６】
第１乃至第３突起２４１、２４２、２４３は、第１側面２３２から突出され形成され、所定の間隔だけ離隔して位置する。第４乃至第６突起２４４、２４５、２４６は、第２側面２３３から突出され形成され、所定の間隔だけ離隔して位置する。第７乃至第９突起２４７、２４８、２４９は、第３側面２３４から突出され形成され、所定の間隔だけ離隔して位置する。
【００３７】
第１乃至第９突起２４１、２４２、２４３、２４４、２４５、２４６、２４７、２４８、２４９は、収納容器５００内に具備された導光板２００が外部の衝撃によって流動される場合、収納容器５００の側壁５２０と導光板２００との接触面積を最小化する。これによって、導光板２００は、収納容器５００との摩擦のために発生される騒音を防止することができる。導光板と収納容器との接触面積を完全にフィットさせて導光板が移動しないように製造するのは困難であるが、上記のように第１乃至第９突起２４１〜２４９を用いることで、製造工程を簡単にしつつ導光板の移動を阻止し騒音を防止することができる。
【００３８】
この実施例において、第１乃至第９突起２４１、２４２、２４３、２４４、２４５、２４６、２４７、２４８、２４９（図３参照）は、同じ構造を有する。従って、以下、第１突起２４１について具体的に説明し、第２乃至第９突起２４２、２４３、２４４、２４５、２４６、２４７、２４８、２４９についての具体的な説明は省略する。
図４を参照すると、第１突起２４１は第１側面２３２に位置し、三角錐形状を有する。しかし、第１突起２４１は、三角錐形状以外にも多様な角錐形状、例えば、ピラミッド形状などの四角錐形状、五角錐形状等に形成されることもできる。
【００３９】
第１突起２４１は、ガイド面２１０からガイド面２１０と平行に延長された第１面２４１ａ、第１側面２３２に対して所定の角度に傾く第２面２４１ｂ、及び第１側面２３２に対して所定の角度に傾いて第２面２４１ｂと接する第３面２４１ｃを含む。
第３面２４１ｃは、第２面２４１ｂと互いに逆方向に傾き、第１乃至第３面２４１ａ、２４１ｂ、２４１ｃは互いに隣接して位置する。
【００４０】
以下、図面を参照して、多数の突起と収納容器との間の位置関係を具体的に説明する。
図５は図１に図示された導光板と収納容器との間の位置関係を示す部分平面図で、図６は図１のＩ−Ｉ’に沿って切断した断面図である。ただし、簡単のためにガイド部５４０は省略している。
この実施例において、第１乃至第９突起２４１、２４２、２４３、２４４、２４５、２４６、２４７、２４８、２４９は、収納容器５００の側壁５２０と位置関係が実質的に同じである。従って、図５及び図６においては、第１突起２４１と収納容器５００との間の位置関係について具体的に説明する。
【００４１】
図５及び図６を参照すると、反射シート４００、導光板２００、及び光学シート３００は収納容器５００に順次に収納される。
導光板２００の第１側面２３２に具備された第１突起２４１は、第１側面２３２と収納容器５００の側壁５２０との間に位置する。第１突起２４１の高さＨ１は、収納容器５００の側壁５２０と第１側面２３２との距離Ｄより狭いか、同様に形成される。好ましくは、第１突起２４１は、約０．８ｍｍの幅Ｗ１を有し、約０．４ｍｍの高さＨ１を有する。
【００４２】
第１突起２４１は、第１乃至第３面２４１ａ、２４１ｂ、２４１ｃ（図４参照）が接する角錐の頂点２４１ｄが収納容器５００の側壁５２０と隣接する。
導光板２００が収納容器５００内で流動される場合、収納容器５００の側壁５２０と導光板２００の第１突起２４１とが互いに接触され、導光板２００の第１側面２３２と収納容器５００の側壁５２０とは互いに接触されない。特に、第１突起２４１は、角錐の頂点２４１ｄのみが収納容器５００の側壁５２０と接触されるので、導光板２００は、収納容器５００の側壁５２０と点接触される。
【００４３】
図示していないが、導光板２００が流動される場合、第２乃至第９突起２４２、２４３、２４４、２４５、２４６、２４７、２４８、２４９（図３参照）も第１突起２４１と同様に、角錐の頂点のみが側壁５２０と接触される。
このように、導光板２００は収納容器５００内で流動されると、第１乃至第９突起２４１、２４２、２４３、２４４、２４５、２４６、２４７、２４８、２４９の角錐の頂点のみが収納容器５００の側壁５２０と接触される。
【００４４】
特に、バックライトアセンブリ８００が外部の力によって捩じれると、導光板２００と収納容器５００との間に摩擦が発生し、これによって、騒音が発生する。導光板２００は第１乃至第９突起２４１、２４２、２４３、２４４、２４５、２４６、２４７、２４８、２４９の角錐の頂点のみが収納容器５００の側壁５２０と接触されるので、収納容器５００との摩擦面積を最小化することができる。
【００４５】
これによって、バックライトアセンブリ８００は、導光板２００と収納容器５００の側壁５２０との間の摩擦のために騒音が発生することを防止することができる。
特に、導光板２００は材質的特性が、騒音を発生する原因にもなり得る。即ち、２つの物体間の摩擦のために発生する騒音は、摩擦係数が相対的に高い物質で発生するが、導光板２００は収納容器５００より摩擦係数が高い材質からなる。
【００４６】
一般に、導光板２００は、アクリル樹脂系列のポリメチルメタクリレート（以下、ＰＭＭＡ）からなり、ＰＭＭＡの摩擦係数は約０．８３である。収納容器５００は、ＰＭＭＡより摩擦係数が低いポリカボネート（以下、ＰＣ）からなり、ＰＣの摩擦係数は約０．３６である。
導光板２００と収納容器５００との間に摩擦が発生すると、導光板２００が収納容器５００より摩擦係数が高いため、導光板２００で騒音が発生する。従って、騒音を防止するためには、収納容器５００と接触される導光板２００の面積を最小化することがより効果的であり得る。
【００４７】
導光板と収納容器との接触面積を完全にフィットさせて導光板が移動しないように製造するのは困難である。しかし、上記のように第１乃至第９突起２４１〜２４９を用いることで、製造工程を簡単にしつつ導光板の移動を阻止することができる。また、導光板の各突起は、収納容器と点接触又は線接触するため、導光板と収納容器との接触面積を小さくすることができる。以上より、本発明の導光板の突起により、導光板の移動を阻止し、かつ導光板と収納容器との接触面積を小さくすることができ、これにより導光板が移動することによる騒音を減らすことができる。また、製造工程が容易なため、歩留まりも向上することができる。
【００４８】
図７は、図４に図示された第１突起の他の一例を示す部分斜視図である。
図７を参照すると、第１突起２７０は、第１側面２３２から突出され、プリズム形状を有する。なお、各側面は平面に限られず、曲面であっても良い。
この実施例において、第１突起２７０は、第１側面２３２と一体に形成される。このように一体に形成されることで、より製造工程を簡単にすることができる。しかし、第１突起２７０は、第１側面２３２と一体に形成されなくても良く、ゴムのような弾性を有する材質で形成されることができる。弾性を有する材質で形成することで、導光板への衝撃を和らげ、移動も小さくすることができる。
【００４９】
第１突起２７０は、出射面２２０から延長された第１面２７１、第１面２７１と対向する第２面２７２、第１側面２３２に対して所定の角度に傾いた第３面２７３、及び第１側面２３２に対して所定の角度に傾いて第３面２７３と接する第４面２７４を含む。
第１面２７１は出射面２２０と平行であり、第２面２７２はガイド面２１０から第１面２７１と平行に延長される。第３及び第４面２７３、２７４は、第１側面２３２に対して互いに反対方向に傾いて、第１及び第２面２７１、２７２と互いに接する。
【００５０】
図示していないが、導光板２００が収納容器５００（図１参照）内で流動されると、第１突起２７０では、第３及び第４面２７３、２７４が互いに接する角２７５と収納容器５００の側壁５２０とが互いに接触される。
このように、導光板２００は、第１突起２７０の角２７５のみが収納容器５００の側壁５２０と接触され、第１側面２３２と側壁５２０が接触されない。これによって、導光板２００は、収納容器５００の側壁５２０と摩擦される面積を最小化することができるので、摩擦のために発生する騒音を防止することができる。
【００５１】
一方、導光板２００は、第１突起２７０の第３及び第４面２７３、２７４をカバーする騒音防止部材２８０を更に含む。図７は、騒音防止部材２８０が第１突起２７０に具備されることを一例として図示したが、騒音防止部材２８０は、第１突起２７０のみならず、第２乃至第９突起にも具備されることができる。
騒音防止部材２８０は、収納容器５００の側壁５２０と第１突起２７０との間の摩擦騒音を最小化するように、第１突起２７０及び収納容器５００より摩擦係数が低い材質からなる。
【００５２】
例えば、第１突起２７０がＰＭＭＡからなり、収納容器５００がＰＣからなる場合、騒音防止部材２８０は、ＰＭＭＡ及びＰＣより摩擦係数が低いポリエチレンテレフタレート（以下、ＰＥＴ）からなる。ここで、ＰＥＴの摩擦係数は、約０．０８乃至約０．１８である。
図１乃至図６には図示していないが、騒音防止部材２８０は、図１乃至図６に図示された突起２４１、２４２、２４３、２４４、２４５、２４６、２４７、２４８、２４９にも具備されることができる。
【００５３】
図８は、図２のＢ部分を拡大して示す拡大斜視図で、図９は図１のＩＩ−ＩＩ’に沿って切断した断面図である。
図３及び図８を参照すると、導光板２００は、収納容器５００と結合して導光板２００を収納容器５００に固定する第１及び第２固定部材２５０、２６０を更に含む。
第１固定部材２５０は第１側面２３２から突出され、第２固定部材２６０は第１側面２３２と対向する第３側面２３３から突出される。
【００５４】
この実施例において、第１及び第２固定部材２５０、２６０は同じ構造を有する。従って、以下、第１固定部材２５０について具体的に説明し、第２固定部材２６０についての具体的な説明は省略する。
図８及び図９を参照すると、第１固定部材２５０は四角柱形状を有し、その厚さは隣接した第１側面２３２の厚さより薄く形成される。
【００５５】
収納容器５００の側壁５２０は、第１固定部材２５０を挿入するための第１挿入ホール５２１を更に具備する。図示していないが、収納容器５００の側壁５２０は、第２固定部材２６０を挿入するための第２挿入ホールを更に具備する。
第１挿入ホール５２１は、第１固定部材２５０と対応して具備され、第１固定部材２５０は、第１挿入ホール５２１に挿入され導光板２００を収納容器５００に固定する。
【００５６】
導光板２００が収納容器５００の内部で流動されると、第１固定部材２５０と側壁５２０の第１挿入ホール５２１を定義する内面間に摩擦が発生する。特に、出射面２２０と隣接した第１固定部材２５０の上面２５１と、側壁５２０との間の摩擦のために騒音が発生する。このような騒音を防止するように第１固定部材２５０の上面２５１は腐食処理される。
【００５７】
即ち、第１固定部材２５０の上面２５１は表面に凸凹を具備し、これによって、側壁５２０との摩擦面積を最小化することができる。これによって、バックライトアセンブリ８００は、第１固定部材２５０を第１挿入ホール５２１に挿入することで導光板２００の移動を防止しつつ、また第１固定部材２５０の上面２５１を表面処理することによって、第１固定部材２５０と収納容器５００の側壁５２０との間の摩擦のために騒音が発生することを防止することができる。
【００５８】
＜第２実施例＞
図１０は本発明の他の実施例によるバックライトアセンブリを示す分解斜視図で、図１１は図１０に図示された収納容器を示す平面図で、図１２は図１１のＣ部分を拡大して示す拡大斜視図である。
図１０において、図１に図示されたバックライトアセンブリ８００と同じ機能を行う構成要素には同じ参照番号を付与して、その機能についての別の説明は省略する。
【００５９】
図１０を参照すると、バックライトアセンブリ９００は、光を発生するランプユニット１００、ランプユニット１００の一側に位置して光の経路をガイドする導光板９１０、導光板９１０の上部に具備された光学シート３００、導光板２００の下部に具備された反射シート４００、及び収納容器９２０を含む。
ランプユニット１００は電源の提供を受けて光を発生するランプ１１０、及びランプ１１０を収納するランプカバー１２０を含む。
【００６０】
導光板９１０は、ランプユニット１００から入射された光の経路を変更して面光源形態の光を出射する。この実施例において、導光板２００は、ランプユニット１００側から反対側に行くほど、厚さが漸次薄く形成されるウェッジ形状を有するが、厚さが均一に形成されても良い。
導光板９１０は、光の経路を変更するガイド面９１１、ガイド面９１１と対向する出射面９１２、ガイド面９１１及び出射面９１２と隣接した側部で構成される。
【００６１】
ガイド面９１１は、光の経路を変更して出射面９１２に提供するガイドパターン（図示せず）が具備される。出射面９１２は、ガイド面９１１から入射された光を光学シート３００に提供する。
側部は、光が入射される入射面９１３、及び第１乃至第３側面９１４、９１５、９１６で構成される。入射面９１３は、ランプ１１０と向かい合う。第１側面９１４は、入射面９１３と隣接して位置する。第２側面９１５は第１側面９１４と隣接し、入射面９１３と対向して位置する。第３側面９１６は入射面９１３と隣接し、第１側面９１４と対向して位置する。
【００６２】
収納容器９２０は、反射シート４００、導光板９１０、及び光学シート３００を順次に収納する。
図１１及び図１２を参照すると、収納容器９２０は、底面９２１、底面９２１から収納空間を形成するように底面９２１よりも突出して形成された側壁部９２２、及び側壁部９２２から突出された多数の突起（後述の第１乃至第９突起）を含む。
【００６３】
底面９２１は、バックライトアセンブリ９００の重量を最小化するように多数の開口部９２１ａを有する。底面９２１には、反射シート４００、導光板９１０、及び光学シート３００が順次に装着される。ここで、ランプユニット１００は、収納容器９２０の背面から収納容器９２０の内側に挿入される。
側壁部９２２は、第１乃至第４側壁９２２ａ、９２２ｂ、９２２ｃ、９２２ｄを含む。第１側壁９２２ａはランプユニット１００と接して、ランプユニット１００は、導光板９１０と第１側壁９２２ａとの間に収納される。第２側壁９２２ｂは、第１側壁９２２ａと隣接して位置する。第３側壁９２２ｃは第２側壁９２２ｂと隣接して、第１側壁９２２ａと対向して位置する。第４側壁９２２ｄは第３側壁９２２ｃと隣接し、第２側壁９２２ｂと対向して位置する。
【００６４】
多数の突起は、第２乃至第４側壁９２２ｂ、９２２ｃ、９２２ｄに具備され、第２乃至第４側壁９２２ｂ、９２２ｃ、９２２ｄと一体に形成される。しかし、多数の突起は、第２乃至第４側壁９２２ｂ、９２２ｃ、９２２ｄと一体に形成されなくても良く、ゴムのような弾性を有する材質で形成されることができる。
ここで、多数の突起は、導光板９１０の側部と直接的に接触される部分に形成されるので、導光板９１０と直接的に接触されない第１側壁９２２ａには具備されない。
【００６５】
多数の突起は、第１乃至第９突起９２３ａ、９２３ｂ、９２３ｃ、９２３ｄ、９２３ｅ、９２３ｆ、９２３ｇ、９２３ｈ、９２３ｉで構成される。しかし、突起の個数は、導光板９１０のサイズによって増加されるか、減少されることができる。
第１乃至第３突起９２３ａ、９２３ｂ、９２３ｃは、第２側壁９２２ｂから突出され形成され、所定の間隔だけ離隔され位置する。第４乃至第６突起９２３ｄ、９２３ｅ、９２３ｆは、第３側壁９２２ｃから突出され形成され、所定の間隔だけ離隔して位置する。第７乃至第９突起９２３ｇ、９２３ｈ、９２３ｉは第４側壁９２２ｄから突出され形成され、所定の間隔だけ離隔して位置する。
【００６６】
第１乃至第９突起９２３ａ、９２３ｂ、９２３ｃ、９２３ｄ、９２３ｅ、９２３ｆ、９２３ｇ、９２３ｈ、９２３ｉは、収納容器９２０内に具備された導光板９１０が外部の衝撃によって流動される場合、導光板９１０の第１乃至第３側面９１４、９１５、９１６と収納容器９２０との間の接触面積を最小化する。これによって、バックライトアセンブリ９００は、導光板９１０と収納容器９２０との間の摩擦のために発生される騒音を防止することができる。導光板と収納容器との接触面積を完全にフィットさせて導光板が移動しないように製造するのは困難であるが、上記のように第１乃至第９突起９２３ａ〜９２３ｉを用いることで、製造工程を簡単にしつつ導光板の移動を阻止し騒音を防止することができる。
【００６７】
この実施例において、第１乃至第９突起９２３ａ、９２３ｂ、９２３ｃ、９２３ｄ、９２３ｅ、９２３ｆ、９２３ｇ、９２３ｈ、９２３ｉは同じ構造を有する。従って、以下、第１突起９２３ａについて具体的に説明し、第２乃至第９突起９２３ｂ、９２３ｃ、９２３ｄ、９２３ｅ、９２３ｆ、９２３ｇ、９２３ｈ、９２３ｉについての具体的な説明は省略する。
【００６８】
図１２を参照すると、第１突起９２３ａは第２側壁９２２ｂに具備され、三角錐形状を有する。しかし、第１突起９２３ａは、三角錐形状以外にも多様な角錐形状、例えば、四角錐形状、互角錐形状等に形成されることができる。
第１突起９２３ａは、一面ＰＳは収納容器９２０の底面９２１と平行に延長される。導光板９１０が収納容器９２０内で流動されると、第１突起９２３ａは角錐の頂点ＰＡのみが導光板９１０と接触される。
【００６９】
図１０及び図１１を更に参照すると、収納容器９２０は、光学シート３００のホール３１１、３２１と対向して、側壁部９２２上に形成された第１及び第２固定突起９２４ａ、９２４ｂを更に含む。第１及び第２固定突起９２４ａ、９２４ｂは、ホール３１１、３２１に挿入され、光学シート３００を収納容器９２０に固定する。
収納容器９２０は、画像を表示する液晶表示パネル（図示せず）をガイドするガイド部９２５を更に含む。ガイド部９２５は、第１乃至第４側壁９２２ａ、９２２ｂ、９２２ｃ、９２２ｄの上端部に具備されるとともに、第１乃至第４側壁９２２ａ、９２２ｂ、９２２ｃ、９２２ｄより外側に突出される。
【００７０】
バックライトアセンブリ９００は、収納容器９２０の外側に具備されるバックカバー６００を更に具備することもできる。バックカバー６００は、ランプユニット１００が収納される位置に具備され、ランプユニット１００から発生された熱を迅速に放出する。バックカバー６００は、ランプカバー１２０の下部面及び収納容器９２０の第１側壁９２２ａをカバーする。
【００７１】
この実施例において、バックライトアセンブリ９００は、バックカバー６００をランプカバー１２０と別に具備するが、バックカバー６００の機能を有するランプカバーを具備してバックカバー６００を別に具備しなくても良い。
以下、図面を参照して、多数の突起と導光板９１０との間の位置関係を具体的に説明する。
【００７２】
図１３は図１０に図示された収納容器と導光板との間の位置関係を示す部分平面図で、図１４は図１０のＩＩＩ−ＩＩＩ’に沿って切断した断面図である。ただし、簡単のためにガイド部９２５は省略している。
この実施例において、第１乃至第９突起９２３ａ、９２３ｂ、９２３ｃ、９２３ｄ、９２３ｅ、９２３ｆ、９２３ｇ、９２３ｈ、９２３ｉそれぞれ、導光板９１０との位置関係は実質的に同じである。従って、図１３及び図１４においては、第１突起９２３ａと導光板９１０との間の位置関係についてのみ具体的に説明する。
【００７３】
図１３及び図１４を参照すると、反射シート４００、導光板９１０、及び光学シート３００は、収納容器９２０に順次に収納される。
収納容器９２０の第２側壁９２２ｂに具備された第１突起９２３ａは、第２側壁９２２ｂと導光板９１０の第１側面９１４との間に位置する。第１突起９２３ａの高さＨ２は、収納容器９２０の第２側壁９２２ｂと導光板９１０の第１側面９１４との距離Ｄより狭いか、同様に形成される。好ましくは、第１突起９２３ａは約０．８ｍｍの幅Ｗ２を有し、約０．４ｍｍの高さＨ２を有する。
【００７４】
第１突起９２３ａの角錐の頂点ＰＡは、導光板９１０の第１側面９１４と隣接して位置する。
導光板９１０が収納容器９２０内で流動されると、収納容器９２０は、導光板９１０の第１側面９１４と第１突起９２３ａが互いに接触され、第１側面９１４と第２側面９２２ｂが互いに接触されない。
【００７５】
特に、第１突起９２３ａは、角錐の頂点ＰＡのみが導光板９１０の第１側面９１４と接触されるので、収納容器９２０は導光板９１０の第１側面９１４と点接触される。
図示していないが、導光板９１０が収納容器９２０内で流動されると、第２乃至第９突起９２３ｂ、９２３ｃ、９２３ｄ、９２３ｅ、９２３ｆ、９２３ｇ、９２３ｈ、９２３ｉ（図１１参照）も第１突起９２３ａと同様に、角錐の頂点のみが導光板９１０と接触される。
【００７６】
このように、収納容器９２０の側壁９２２ａ、９２２ｂ、９２２ｃ、９２２ｄは、導光板９１０が収納容器９２０内で流動されると、第１乃至第９突起９２３ａ、９２３ｂ、９２３ｃ、９２３ｄ、９２３ｅ、９２３ｆ、９２３ｇ、９２３ｈ、９２３ｉの角錐の頂点のみが導光板９１０の側部に接触される。
特に、バックライトアセンブリ９００が外部の力によって捩じれると、導光板９１０と収納容器９２０との間に摩擦が発生し、これによって、騒音が発生する。収納容器９２０は、第１乃至第９突起９２３ａ、９２３ｂ、９２３ｃ、９２３ｄ、９２３ｅ、９２３ｆ、９２３ｇ、９２３ｈ、９２３ｉの角錐の頂点のみが導光板９１０の第１乃至第３側面９１４、９１５、９１６（図１０参照）と接触されるので、導光板９１０との摩擦面積を最小化することができる。
【００７７】
これによって、バックライトアセンブリ９００は、導光板９１０と収納容器９２０との間の摩擦のために騒音が発生することを防止することができる。
ここで、導光板と収納容器との接触面積を完全にフィットさせて導光板が移動しないように製造するのは困難である。しかし、上記のように第１乃至第９突起９２３ａ〜９２３ｉを用いることで、製造工程を簡単にしつつ導光板の移動を阻止することができる。また、収納容器の各突起は、導光板と点接触するため、導光板と収納容器との接触面積を小さくすることができる。以上より、本発明の収納容器の突起により、導光板の移動を阻止し、かつ導光板と収納容器との接触面積を小さくすることができ、これにより導光板が移動することによる騒音を減らすことができる。また、製造工程が容易なため、歩留まりも向上することができる。
【００７８】
図１５は、本発明の一実施例による液晶表示装置を示す分解斜視図である。
図１５において、液晶表示装置１０００に具備されたバックライトアセンブリ１２００は、図１に具備されたバックライトアセンブリ８００と同じ構成を有する。従って、図１に図示されたバックライトアセンブリ８００と同じ機能を有する構成要素には同じ参照番号を付与し、その重複説明は省略する。
【００７９】
図１５を参照すると、液晶表示装置１０００は、光を利用して画像を表示する表示パネルアセンブリ１１００、光を発生するバックライトアセンブリ１２００、及び表示パネルアセンブリ１１００の位置をガイドするトップシャーシ１３００を含む。
表示パネルアセンブリ１１００は、光を利用して画像信号に対応する画像を表示する液晶表示パネル１１１０、画像信号に対応する駆動信号を生成する印刷回路基板１１２０、データ側テープキャリアパッケージ（以下、ＴＣＰ）１１３０、及びゲート側ＴＣＰ１１４０を含む。
【００８０】
具体的に、液晶表示パネル１１１０は、薄膜トランジスタ基板（以下、ＴＦＴ）１１１１、ＴＦＴ基板１１１１と互いに対向して結合するカラーフィルター基板１１１２、及びＴＦＴ基板１１１１とカラーフィルター基板１１１２との間に介在された液晶層（図示せず）を含む。
ＴＦＴ基板１１１１は、多数の画素（図示せず）がマトリックス形態に具備される。各画素は、互いに対して直交する方向に延長されたゲートライン（図示せず）及びデータラインによって定義される。各画素にはスイッチング素子として動作されるＴＦＴ及び画素電極が具備される。
【００８１】
カラーフィルター基板１１１２は、薄膜工程によって形成され光を利用して所定の色を発見するＲＧＢ色画素（図示せず）及び共通電極を具備する。
ＴＦＴ基板１１１１とカラーフィルター基板１１１２との間には、液晶層が介在される。液晶層は、画素電極と共通電極との間に形成される電界によって特定方向に配列され、バックライトアセンブリ１２００から提供される光の透過度を調節する。
【００８２】
液晶表示パネル１１１０のソース側には、印刷回路基板１１２０が具備される。印刷回路基板１１２０には、駆動信号を生成する駆動チップ、駆動信号のタイミングを調節するためのタイミングコントローラ、及びデータ信号及びゲート信号を保存するためのメモリ等が実装される。
印刷回路基板１１２０の一端部には、データ側ＴＣＰ１１３０が具備される。データ側ＴＣＰ１１３０は、液晶表示パネル１１１０及び印刷回路基板１１２０と電気的に連結され、印刷回路基板１１２０から印加された駆動信号及びデータ信号を液晶表示パネル１１１０に提供する。
【００８３】
液晶表示パネル１１１０のゲート側には、ゲート側ＴＣＰ１１４０が付着される。ゲート側ＴＣＰ１１４０は、印刷回路基板１１２０から印加されたゲート信号及び駆動信号を液晶表示パネル１１１０に印加する。
表示パネルアセンブリ１１００の下には、液晶表示パネル１１１０に均一な光を提供するためのバックライトアセンブリ１２００が具備される。
【００８４】
液晶表示パネル１１１０は、バックライトアセンブリ１２００に具備された収納容器５００に収納される。収納容器５００に具備されたガイド部５４０は、液晶表示パネル１１１０の位置をガイドする。
液晶表示パネル１１１０の上部には、液晶表示パネル１１１０を収納容器５００に固定するトップシャーシ１３００が具備される。トップシャーシ１３００は、バックライトアセンブリ１２００に具備された収納容器５００と対向するように結合して、液晶表示パネル１１１０を収納容器５００に固定する。
【００８５】
前述した本発明によると、バックライトアセンブリは、収納容器及び側面から突出され形成され、収納容器の側壁と隣接した突起を有する導光板を含む。導光板は、収納容器内で流動されると、突起のみが収納容器の側壁と接触され、導光板の側面は収納容器の側壁と接触されない。
これによって、導光板は、バックライトアセンブリが外部の力によって捩れても、収納容器の側壁との摩擦面積を最小化することができる。従って、バックライトアセンブリは、収納容器と導光板との間の摩擦のために発生する騒音を防止することができるので、製品の歩留まりを向上させることができる。
【００８６】
又、バックライトアセンブリは、導光板及び側壁から突出され形成され、導光板の側面と隣接した突起を有する収納容器を含む。収納容器は、導光板が収納容器内で流動されても、突起のみが導光板の側面と接触され、収納容器の側壁と導光板が接触されない。
これによって、収納容器は、バックライトアセンブリが外部の力によって捩れても、導光板の側壁との摩擦面積を最小化することができる。従って、バックライトアセンブリは、収納容器と導光板との間の摩擦のために発生する騒音を防止することができるので、製品の歩留まりを向上させることができる。
【００８７】
以上、本発明の実施例によって詳細に説明したが、本発明はこれに限定されず、本発明が属する技術分野において通常の知識を有するものであれば本発明の思想と精神を離れることなく、本発明を修正または変更できる。
【産業上の利用可能性】
【００８８】
本発明は、バックライトを用いる表示装置等に適用可能である。
【図面の簡単な説明】
【００８９】
【図１】本発明の一実施例によるバックライトアセンブリを示す分解斜視図である。
【図２】図１に図示された導光板を示す斜視図である。
【図３】図２に図示された導光板を示す平面図である。
【図４】図２のＡ部分を拡大して示す拡大斜視図である。
【図５】図１に図示された導光板と収納容器との間の位置関係を示す部分平面図である。
【図６】図１のＩ−Ｉ’に沿って切断した断面図である。
【図７】図４に図示された第１突起の他の一例を示す部分斜視図である。
【図８】図２のＢ部分を拡大して示す拡大斜視図である。
【図９】図１のＩＩ−ＩＩ’に沿って切断した断面図である。
【図１０】本発明の他の実施例によるバックライトアセンブリを示す分解斜視図である。
【図１１】図１０に図示された収納容器を示す平面図である。
【図１２】図１１のＣ部分を拡大して示す拡大斜視図である。
【図１３】図１０に図示された収納容器と導光板との間の位置関係を示す部分平面図である。
【図１４】図１０のＩＩＩ−ＩＩＩ’に沿って切断した断面図である。
【図１５】本発明の一実施例による液晶表示装置を示す分解斜視図である。
【符号の説明】
【００９０】
１００    ランプユニット
２００、９１０    導光板
３００    光学シート
４００    反射シート
５００、９２０    収納容器
８００、９００、１２００    バックライトアセンブリ
【図１】
2006323382.tif 000003
【図２】
2006323382.tif 000004
【図３】
2006323382.tif 000005
【図４】
2006323382.tif 000006
【図５】
2006323382.tif 000007
【図６】
2006323382.tif 000008
【図７】
2006323382.tif 000009
【図８】
2006323382.tif 000010
【図９】
2006323382.tif 000011
【図１０】
2006323382.tif 000012
【図１１】
2006323382.tif 000013
【図１２】
2006323382.tif 000014
【図１３】
2006323382.tif 000015
【図１４】
2006323382.tif 000016
【図１５】
2006323382.tif 000017